(57)【要約】  流動物を固化させてブロック状固化物を製造し、製造したブロック状固化物を包装できるようにした固化包装容器を提供する。  固化包装容器に関し、第１側壁部５，５の幅端辺５ｂ，５ｂと第２側壁部８，８の幅端辺８ｂ，８ｂが互いに接近するように折畳んで箱形を形成する際に、余剰コーナ部１２を放射方向の対角線において外側に突出するように折り曲げて三角部１３を形成し、三角部１３が第２側壁部８，８の外側に重なり合うように折り畳み、第２側壁部８，８の高さ端辺８ａ，８ａに連接した押え壁１１，１１を三角部１３上に重なるように折畳み、押え壁１１，１１の係止片１０，１０を内側の三角部１３の斜辺１３ａの内側に差込んで固定する。これにより、流動物の固化とブロック状固化物の包装とが兼ねられる固化包装容器２とする。
2007144930.tif 000002
【特許請求の範囲】
【請求項１】
箱形に折畳んだ容器の内部に流動物を充填してブロック状に固化させる流動物の固化包装容器であって、包装用段ボールに、矩形の底部と、該底部の平行な２辺に連接して対向する側壁を形成するための第１側壁部と、該各第１側壁部の高さ端辺に連接した蓋部と、前記底部の平行な他の２辺に連接して対向する側壁を形成するための前記第１側壁部と同じ高さの第２側壁部と、該各第２側壁部の高さ端辺に連接して延び端部に係止片を備えた押え壁と、前記第１側壁部の幅端辺と第２側壁部の幅端辺との夫々の間に有する余剰コーナ部とを有し、前記第１側壁部の幅端辺と第２側壁部の幅端辺が互いに接近するように折畳んで箱形を形成する際に、前記余剰コーナ部を放射方向の対角線において外側に突出するように折り曲げて三角部を形成し、該三角部が前記第２側壁部の外側に重なり合うように折り畳み、前記第２側壁部の高さ端辺に連接した押え壁を前記三角部上に重なるように折畳み、押え壁の係止片を内側の三角部の斜辺の内側に差込んで固定したことからなる流動物の固化包装容器。
【請求項２】
前記包装用段ボールは、少なくとも折畳まれる容器の内面側に非浸透性面が形成されてなる請求項１に記載の流動物の固化包装容器。
【請求項３】
前記押え壁に備えた係止片は、押え壁の端辺から略４５゜の角度で延設されてなる請求項１に記載の流動物の固化包装容器。
【請求項４】
前記箱形に折畳んだ容器の上部を覆う蓋部を相互に固定するための固定材を有してなる請求項１に記載の流動物の固化包装容器。
【請求項５】
前記容器は流動性動物飼料の固化包装容器であって、流動性動物飼料を充填して固化する固化包装容器を形成する前記包装用段ボールの厚みが３ｍｍ以下である請求項１に記載の流動物の固化包装容器。
【発明の詳細な説明】
【技術分野】
【０００１】
本発明は、流動物を固化してブロック状固化物を形成する際に流動物の固化とブロック状固化物の包装とを容易且つ低価格で行えるようにした流動物の固化包装容器に関する。
【背景技術】
【０００２】
種々の物品を梱包して輸送、保管、陳列等を行う際に振動、衝撃、積上げ荷重等から物品を保護できる包装手段として、従来より段ボールによる包装箱が一般に広く用いられている。このような段ボールによる包装箱は、適当な強度を有し段積みも可能であることから、野菜や果物、各種食品或いは工業製品等を包装して用いるのに好適である。【０００３】
段ボールによる包装箱には、例えば特許文献１に示すように、産地で集荷された野菜を消費地に供給するために、該野菜を氷と共に包装箱に収納して輸送するようにしたものがある。特許文献１の包装箱は、内面にポリエチレンフィルムを施した段ボールによって形成する底板に対して長辺側側板と短辺側側板とを夫々直角に折り曲げた時に両側板間に連接されているコーナ部を折畳んで端辺側板の内側に沿わせて設け、且つ短辺側側板の上端の係止部を折り曲げて前記コーナ部に形成した切欠きを挟み込むようにして、係止部を短辺側側板とコーナ部との間に挟み込むことでロックすることにより、接着剤や糊剤を用いることなしに直方体状に組み立てるようにしている。
【特許文献１】特開２００２−１９７６９号公報
【発明の開示】
【発明が解決しようとする課題】
【０００４】
一方、段ボールによる包装箱を用いて、該包装箱内に流動物を供給して固化させることによりブロック状固化物を製造することが考えられる。この方法によれば包装箱によりブロック状固化物の形成と包装とを同時に行うことができるため有用である。しかし、この方法では、包装箱に流動物を供給するため非浸透性（防水性）の段ボールを用いて内部に継目のない包装箱を組立てる必要があり、継目のない包装箱を組立てるためには側板間のコーナ部を折り曲げて側板に固定する構成が必要である。【０００５】
このとき、特許文献１では前記コーナ部を、短辺側側板の内側に折り曲げて係止部により固定しているため、以下の理由から、流動物を供給して固化する包装箱に用いることは困難である。【０００６】
即ち、コーナ部を短辺側側板の内側に折り曲げて係止部で固定しているため、前記コーナ部及び係止部が包装箱の内側に突出し、この突出のために包装箱内で固化するブロック状固化物の側面に凸凹が生じて製品品質が低下してしまう。【０００７】
また、ブロック状固化物を包装箱から取り出す際に、前記コーナ部及び係止部が内側に突出しているためにブロック状固化物を取り出すことができず、また、このために包装箱を開放しようとしても前記係止部が包装箱の内側にあるために係止部の固定を解除することができない。このため、特許文献１では短辺側側板に係止部による固定を解除するための開口を形成しているが、このような開口を設けた場合には、該開口から流動物が流出してしまうため流動物の固化には採用することができない。また、特許文献１のように短辺側側板に取手穴を設けた場合にも流動物が流出するため流動物の固化には採用することができない。更に、特許文献１では、コーナ部に切欠きを形成したり、短辺側側板に開口を形成しているために、構造が複雑になるという問題がある。【０００８】
本発明は、上記実情に鑑みてなしたもので、流動物を固化包装容器に供給して固化させることによりブロック状固化物を製造し、更に、この固化包装容器を用いてブロック状固化物を包装することにより、ブロック状固化物の製造と包装作業を容易に低価格で行えるようにした流動物の固化包装容器を提供しようとするものである。
【課題を解決するための手段】
【０００９】
本発明は、箱形に折畳んだ容器の内部に流動物を充填してブロック状に固化させる流動物の固化包装容器であって、包装用段ボールに、矩形の底部と、該底部の平行な２辺に連接して対向する側壁を形成するための第１側壁部と、該各第１側壁部の高さ端辺に連接した蓋部と、前記底部の平行な他の２辺に連接して対向する側壁を形成するための前記第１側壁部と同じ高さの第２側壁部と、該各第２側壁部の高さ端辺に連接して延び端部に係止片を備えた押え壁と、前記第１側壁部の幅端辺と第２側壁部の幅端辺との夫々の間に有する余剰コーナ部とを有し、前記第１側壁部の幅端辺と第２側壁部の幅端辺が互いに接近するように折畳んで箱形を形成する際に、前記余剰コーナ部を放射方向の対角線において外側に突出するように折り曲げて三角部を形成し、該三角部が前記第２側壁部の外側に重なり合うように折り畳み、前記第２側壁部の高さ端辺に連接した押え壁を前記三角部上に重なるように折畳み、押え壁の係止片を内側の三角部の斜辺の内側に差込んで固定したことを特徴とする流動物の固化包装容器、に係るものである。【００１０】
上記流動物の固化包装容器において、前記包装用段ボールは、少なくとも折畳まれる容器の内面側に非浸透性面が形成されていることは好ましい。【００１１】
また、上記流動物の固化包装容器において、前記押え壁に備えた係止片は、押え壁の端辺から略４５゜の角度で延設されていることは好ましい。【００１２】
また、上記流動物の固化包装容器において、前記箱形に折畳んだ容器の上部を覆う蓋部を相互に固定するための固定材を有することは好ましい。【００１３】
また、上記流動物の固化包装容器において、流動性動物飼料を充填して固化する固化包装容器を形成する前記包装用段ボールの厚みが３ｍｍ以下であることは好ましい。
【発明の効果】
【００１４】
本発明によれば、前記第１側壁部の幅端辺と第２側壁部の幅端辺が互いに接近するように折畳んで箱形を形成する際に、余剰コーナ部を放射方向の対角線において外側に突出するように折り曲げて三角部を形成し、該三角部が前記第２側壁部の外側に重なり合うように折り畳み、前記第２側壁部の高さ端辺に連接した押え壁を前記三角部上に重なるように折畳み、押え壁の係止片を内側の三角部の斜辺の内側に差込むことにより固定するようにしたので、固化包装容器を簡単に折畳んで形成することができ、更に、固化包装容器の内部には凹凸がないため、固化包装容器の内部に流動物を充填して固化することにより良好な形状のブロック状固化物を製造できる効果がある。【００１５】
そして、固化包装容器の上部を蓋部で覆って固定するのみで包装を行える効果がある。【００１６】
更に、固化包装容器からブロック状固化物を取り出す際は、前記外側の三角部の斜辺の内側に差込んだ係止片を引き抜くだけで固化包装容器を開放することができ、ブロック状固化物を容易に取り出せる効果がある。
【図面の簡単な説明】
【００１７】
【図１】本発明における固化包装容器を形成するための包装用段ボールの形状の一例を示す平面図である。
【図２】包装用段ボールを折畳んで箱形の固化包装容器を形成する状態を示す平面図である。
【図３】図２をＩＩＩ−ＩＩＩ方向から見た側面図である。
【図４】図２をＩＶ−ＩＶ方向から見たもので、三角部を第２側壁部の外側に重なり合うように折り畳んだ状態を示す正面図である。
【図５】図４の三角部上に押え壁が重なるように折畳んだ状態を示す正面図である。
【図６】図５の押え壁の係止片を内側の三角部の斜辺の内側に差込んで固定した状態を示す正面図である。
【図７】固化包装容器に流動物を充填する状態を示す斜視図である。
【図８】図７の蓋部を接着テープによる固定材で固定した状態を示す平面図である。
【符号の説明】
【００１８】
１  包装用段ボール
２  固化包装容器
３  底部
４，４      平行な２辺
５，５      第１側壁部
５ａ，５ａ  高さ端辺
５ｂ，５ｂ  幅端辺
６，６      蓋部
７，７      平行な２辺
８，８      第２側壁部
８ａ，８ａ  高さ端辺
８ｂ，８ｂ  幅端辺
９，９      端部
１０，１０    係止片
１１，１１    押え壁
１２  余剰コーナ部
１３  三角部
１３ａ        斜辺
１４  流動物
１５  固定材
【発明を実施するための最良の形態】
【００１９】
以下、本発明の実施例を添付図面を参照して説明する。【００２０】
図１は本発明の箱形の固化包装容器を形成するための包装用段ボールの形状の一例を示す平面図、図２〜６は図１の包装用段ボールを用いて固化包装容器を折畳む手順を示したものである。【００２１】
図１の包装用段ボール１は、折畳むことによって正面及び側面の形状が矩形形状を有する箱形の固化包装容器が構成されるように裁断或いは打ち抜きによって形成したものであり、この包装用段ボール１は、少なくとも流動物を収容する面（図１に示される上面）に非浸透性剤を塗布する或いは非浸透性フィルムを貼付する等によって非浸透性面（防水面）を形成している。【００２２】
包装用段ボール１は、図７に示すような矩形の固化包装容器２を組み立てるために、矩形の底部３（図１では正方形）と、該底部３の平行な２辺４，４に連接して対向する矩形の側壁を形成するための第１側壁部５，５と、該各第１側壁部５，５の高さ端辺５ａ，５ａに連接した矩形の蓋部６，６と、前記底部３の平行な他の２辺７，７に連接して対向する矩形の側壁を形成するための前記第１側壁部５，５と同じ高さの第２側壁部８，８と、該各第２側壁部８，８の高さ端辺８ａ，８ａに連接して延び端部９，９に係止片１０，１０を備えた押え壁１１，１１と、前記第１側壁部５，５の幅端辺５ｂ，５ｂと第２側壁部８，８の幅端辺８ｂ，８ｂとの間の４個所に有する矩形の余剰コーナ部１２とを備えている。【００２３】
図１の包装用段ボール１において、外形形状の内側に示される実線は固化包装容器２を折畳む際の谷折り部を表わし、一点鎖線は山折り部を表わしており、この実線の谷折り部と一点鎖線の山折り部はプレス等によって予め折り癖が付けられている。【００２４】
そして、前記包装用段ボール１を、図２の如く、前記第１側壁部５，５の幅端辺５ｂ，５ｂと第２側壁部８，８の幅端辺８ｂ，８ｂが互いに接近するように折畳んで箱形を形成する際に、前記余剰コーナ部１２を放射方向の対角線において外側に突出するように折り曲げて図３に示す如く三角部１３を形成し、該三角部１３が図４に示す如く前記第２側壁部８，８の外側に重なり合うように折り畳み、続いて図５に示す如く、前記第２側壁部８，８の高さ端辺８ａ，８ａに連接した押え壁１１，１１を前記三角部１３上に重なるように折畳み、次に、図６に示す如く押え壁１１，１１の係止片１０，１０を内側の三角部１３の斜辺１３ａの内側に差込んで固定することにより、図７の固化包装容器２を構成できるようにしている。【００２５】
このとき、係止片１０，１０は、三角部１３の斜辺１３ａに沿って折り曲げて三角部１３の内側に差込んで固定するようにしているため、前記係止片１０，１０は、押え壁１１，１１の端部９，９から略４５゜の角度で延設した形状としている。【００２６】
次に、上記図１〜図３に示した実施例の作動を説明する。【００２７】
図１に示す包装用段ボール１において、前記第１側壁部５，５の幅端辺５ｂ，５ｂと第２側壁部８，８の幅端辺８ｂ，８ｂが互いに接近するように折畳んで図２に示すような箱形の固化包装容器２を形成する際に、前記余剰コーナ部１２は余ってしまう。【００２８】
このため、前記余剰コーナ部１２は、図１に示す放射方向の対角線において外側（下側）に突出するように折り曲げることにより図３に示す如く三角部１３を形成する。そして、この三角部１３が前記第２側壁部８，８の外側に重なり合うように折り畳む。この時、図５に示すように、前記押え壁１１，１１の係止片１０，１０に対応した斜辺１３ａを有する三角部１３が内側（第２側壁部８，８側）になるように折畳む。【００２９】
次に、図５に示す如く、前記第２側壁部８，８の高さ端辺８ａ，８ａに連接した押え壁１１，１１を前記三角部１３上に重なるように折畳み、押え壁１１，１１の係止片１０，１０を内側の三角部１３の斜辺１３ａの内側に差込んで固定する。これにより、外側の三角部１３は、前記押え壁１１，１１と内側の三角部１３とにより挾持された状態で固定される。これによって箱形の固化包装容器２が組み立てられる。【００３０】
上記したように組立てた箱形の固化包装容器２を用いて流動物の固化・包装を行うには、図７に示すように蓋部６，６を開放した状態において、前記固化包装容器２の内部が一杯になるように上方から流動物１４を供給する。この流動物１４は、前記固化包装容器２内に供給して保持することによって自然に固化されるものであれば種々のものを用いることができ、例えば固化包装容器２に供給して所定時間保持するとブロック状飼料を形成できる糖蜜含有の流動性飼料混合物等を用いることができる。【００３１】
上記したように流動物を供給した固化包装容器２を所定時間静置すると、流動物が固化して、固化包装容器２の内部全体に満たされたブロック状固化物が製造される。ブロック状固化物が製造されると、図８に示す如く前記蓋部６，６同士を接着テープ等の固定材１５で固定すると、内部にブロック状固化物を有する固化包装容器２を包装することができ、このまま運搬及び保管等を行うことができる。【００３２】
また、固化包装容器２内のブロック状固化物を取り出して使用する際には、図８の固定材１５を除去し、内側の三角部１３の斜辺１３ａの内側に差込んだ係止片１０，１０を引き抜くことにより、固化包装容器２を図１に示したように開放することができ、よってブロック状固化物の容易に取り出すことができる。【００３３】
上記したように、固化包装容器２を用いて流動物からブロック状固化物を製造することができ、更に、ブロック状固化物が形成された固化包装容器２は蓋部６，６を固定するのみで包装できるため、流動物の固化とブロック状固化物の包装とを兼ねることができ、よってブロック状固化物の製造と包装作業を容易に低価格で行うことができる。【００３４】
また、折畳んだ固化包装容器２の内部には凹凸がないため、固化包装容器２の内部に形成されるブロック状固化物は良好な矩形形状とすることができる。【００３５】
本発明者らは、前記包装用段ボール１により立体的に折畳んだ固化包装容器２に流動物１４として糖蜜主体の流動性飼料混合物（比重約１．３５＝１．３２〜１．３９の平均値）を充填することによりブロック状固化飼料を製造する試験を実施した。【００３６】
前記ブロック状固化飼料を形成するために、１０ｋｇ用、５ｋｇ用、３ｋｇ用の固化包装容器を作成し、各試験固化包装容器に前記流動性飼料混合物を供給して固化させた。この時、最も容積が大きく包装用段ボール１に対する変形負荷が大きい１０ｋｇ用の固化包装容器には、容器内の縦寸法が２１．５ｃｍ、横寸法が２１．５ｃｍ、高さ寸法が１６．５ｃｍのものを用いた。【００３７】
包装用段ボール１は、流動物を充填した際に外側に膨らんで変形することがない変形強度を有するものを用いる必要があり、このために、包装用段ボール１としては、波形部を構成する段(フルート)の両側（段頂）にライナーを貼り合わせたものを用い、ＪＩＳＺ１５１６で規定されたＢ段（ＢＦ）（厚さが約２．５〜２．８ｍｍ）を選定し、試験では厚さが２．５ｍｍの包装用段ボール１を用いた。【００３８】
上記したように、厚さ２．５ｍｍの包装用段ボール１を用いた１０ｋｇ用とそれ以下の容量の固化包装容器２においては、いずれも固化包装容器２が充填した流動物によって膨らむようなことがなく、良好な形状のブロック状固化飼料を製造することができた。【００３９】
ここで、前記包装用段ボール１の厚みは大きくした方が固化包装容器２の変形強度を高くすることができるが、一方、包装用段ボール１の厚みが大きくなると、包装用段ボール１を折畳んで固化包装容器２を形成する際に、折畳み部が破損し易くなり、破損を生じた場合には破損部分から充填した流動物が漏出してしまう問題がある。【００４０】
しかし、前記した厚さが約２．５〜２．８ｍｍの包装用段ボール１によれば、折畳んで固化包装容器２を形成した際に破損を生じる問題がなく且つ容易に折畳むことができることが判明した。このため、固化包装容器２に用いる包装用段ボール１としては、最大厚さが３ｍｍでしかも変形強度を保持できる大きさの固化包装容器２を形成する場合に好ましいことが判明した。【００４１】
なお、本発明の流動物の固化包装容器は、上記実施例にのみ限定されるものではなく、矩形形状以外の例えば台形の固化包装容器としてもよいこと、その他本発明の要旨を逸脱しない範囲内において種々変更を加え得ることは勿論である。
【図１】
2007144930.tif 000003
【図２】
2007144930.tif 000004
【図３】
2007144930.tif 000005
【図４】
2007144930.tif 000006
【図５】
2007144930.tif 000007
【図６】
2007144930.tif 000008
【図７】
2007144930.tif 000009
【図８】
2007144930.tif 000010
【国際調査報告】
2007144930.tif 000011
2007144930.tif 000012
2007144930.tif 000013
2007144930.tif 000014